(57)【特許請求の範囲】
【請求項１】
箱体と、該箱体の両端に取り付けた脚体と、箱体内に収納され、断面形状は偏平で、リールに巻かれているロープとより構成され、脚体は箱体を取り付けた立足と、該立足から曲げられた臥足とを有し、前記ロープの先端にゴムまたはバネなどの伸縮部材を介してフックを接続したことを特徴とするロープフェンス。
【請求項２】
前記立足は臥足より長く、前記箱体は立足の上端部に可回動に取り付けられ、臥足の先端部には足補足部材が可回動に取り付けられている請求項１に記載のロープフェンス。
【請求項３】
前記臥足と足補足部材との長さの垂直２等分線上に、前記箱体と立足との取り付け回動部が位置し、前記足補足部材を折り畳んだときに、足補足部材の接地端部と脚体の頂部との長さの垂直２等分線上に、前記箱体と立足との取り付け回動部が位置する請求項２記載のロープフェンス。
【請求項４】
前記脚体の頂部には車輪が取り付けられている請求項１、２または３記載のロープフェンス。
【発明の詳細な説明】
【０００１】
【発明の属する技術分野】
本発明は、給油所やコンビニエンスストアなどで、閉店後に自動車が敷地内へ入るのを防止するためのロープフェンスに関するものである。
【０００２】
【従来の技術】
閉店後に自動車が敷地内へ入るのを防止するためのロープフェンスとして、特開昭５２ー７５８４３号、特開昭５８ー１５０９８８号などが知られている。前者は、逆Ｖ字状の脚体の頂部にロープを収納する箱体を可回動に取り付け、脚体に車輪を設け、後者はロープを収納する箱体に「ハ」字状の脚体を設けている。これらの脚体は丈夫ではあるが製造コストが嵩む不都合があり、また脚体は折り畳むことができず不使用時の保管スペースが広く必要となる。
【０００３】
【発明が解決しようとする課題】
本発明の目的は、上記従来例の不都合を解消し、安定した設置状態が保て、かつ製造コストが安いロープフェンスを提供することにある。
【０００４】
【課題を解決するための手段】
上記目的を達成するために、本発明は、第１に、箱体と、該箱体の両端に取り付けた脚体と、箱体内に収納され、断面形状は偏平で、リールに巻かれているロープとより構成され、脚体は箱体を取り付けた立足と、該立足から曲げられた臥足とを有し、前記ロープの先端にゴムまたはバネなどの伸縮部材を介してフックを接続したこと、第２に、前記立足は臥足より長く、前記箱体は立足の上端部に可回動に取り付けられ、臥足の先端部には足補足部材が可回動に取り付けられていること、第３に、前記臥足と足補足部材との長さの垂直２等分線上に、前記箱体と立足との取り付け回動部が位置し、前記足補足部材を折り畳んだときに、足補足部材の接地端部と脚体の頂部との長さの垂直２等分線上に、前記箱体と立足との取り付け回動部が位置すること、第４に、前記脚体の頂部には車輪が取り付けられていることを要旨とするものである。
【０００５】
本発明によれば、前記立足は臥足より長く、前記箱体は立足の上端部に可回動に取り付けられ、臥足の先端部には足補足部材が可回動に取り付けられているので、足補足部材により強風によっても倒れ難い。
【０００６】
そして、前記臥足と足補足部材との長さの垂直２等分線上に、前記箱体と立足との取り付け回動部が位置し、前記足補足部材を折り畳んだときに、足補足部材の接地端部と脚体の頂部との長さの垂直２等分線上に、前記箱体と立足との取り付け回動部が位置するようにしたので、足補足部材を伸ばした場合と同様に畳んだ場合にも安定し、また足補足部材を回動して畳むことにより保管の場所が少なくて済む。
【０００７】
さらに、前記脚体の頂部には車輪が取り付けられているので、楽に移動することができる。
【０００８】
また、前記ロープの断面形状を偏平とし、リールに巻くことにより、ロープが痛むことが無く、より目立たせることができる。
【０００９】
【発明の実施の形態】
以下、本発明の実施の形態を説明する。図１に示すように、ロープフェンス１はロープ２、２を収納する箱体３と、該箱体３の両端に取り付けた脚体４、４とより構成されている。
【００１０】
箱体３は偏平横長で前面板５は大きく、表面には閉店を示す文字６が記載されている。また箱体３の上面には蓋７が設けられ、箱体３の両側面の上端部にはロープ引き出し孔８が開けられ、その少し下方には脚体４、４が可回動に取り付けられている。
【００１１】
図４に示すように、箱体３に収納されているロープ２、２は、断面形状が偏平であり、箱体３内に２つのリール２１、２１を設け、蓋７を開けてリール２１に巻かれたロープ２を引き出すようにしている。
【００１２】
ロープ２、２の一端端にはバネ又はゴムなどの伸縮部材１７を介してフック９が取り付けられている。
【００１３】
箱体３を支える脚体４は「く」字形状であり、頂部には車輪１０が取り付けられている。脚体４は箱体３を取り付けた立足１１と、この立足１１から曲げられた臥足１２とを有し、立足１１は臥足１２より長く、この箱体３は立足１１の上端部に可回動に取り付けられ、臥足１２の先端部には足補足部材１３が可回動に取り付けられている。
【００１４】
そして図２に示すように、臥足１２と足補足部材１３との長さＬ１の垂直２等分線上に箱体３と立足１１との取り付け回動部Ｒが位置するように、脚体４と足補足部材１３の長さが作られている。
【００１５】
また図３に示すように、足補足部材１３を折り畳んだときに、足補足部材１３の接地端部と脚体の頂部との長さＬ２の垂直２等分線上に箱体３と立足１１との取り付け回動部Ｒが位置するように、足補足部材１３は臥足１２に取り付けられている。
【００１６】
この足補足部材１３は角輪形状であり、臥足１２の端部にピン１４により可回動に取り付けられ、足補足部材１３を伸ばした方向へ固定するストッパーピン１５が設けられ、足補足部材１３を畳んだときに立足１１に当接するストッパー１６が設けられている。
【００１７】
次に使用の態様を説明すると、図３に示すように、不使用時は足補足部材１３を畳んで壁際などに保管しておく。このとき足補足部材１３は畳まれているので保管場所が狭くて済む。また前記足補足部材１３を折り畳んだときに、足補足部材１３の接地端部と脚体の頂部との長さＬ２の垂直２等分線上に、箱体３と立足１１との取り付け回動部Ｒが位置するように、足補足部材１３は立足１１に取り付けられているので、安定した状態で保管することができる。
【００１８】
使用するときは、例えば給油所の出入口の中央にロープフェンス１を運び、閉店などの文字６が記された前面板５を道路側に向けて置き、臥足１２より足補足部材１３を伸ばしストッパーピン１５をする。これによりロープフェンス１は安定し、強風が吹いても倒れることが無くなる。そして箱体３の蓋７を開けロープ２を引き出し、ロープ２の先端のフック９を塀などに設けたリングに掛ける。このときロープ２は箱体３の孔８に嵌入できるので、ロープ２を取り出した後は蓋７をすることができる。また、フック９はゴムまたはバネなどの伸縮部材１７を介してロープ２に接続されているので、ロープ２が弛むことが無く、フェンスとしての役目が保持される。
【００１９】
【発明の効果】
以上説明したように本発明は、箱体と、該箱体の両端に取り付けた脚体と、箱体内に収納されるロープとより構成され、脚体は箱体を取り付けた立足と、該立足から曲げられた臥足とを有するので、安定した設置状態が保て、かつ製造コストが安いロープフェンスが提供できる。
【図面の簡単な説明】
【図１】本発明のロープフェンスの一部を断面で表す斜視図である。
【図２】本発明のロープフェンスの使用状態の側面図である。
【図３】本発明のロープフェンスの保管状態の側面図である。
【図４】箱体部分の斜視図である。
【符号の説明】
１  ロープフェンス
２  ロープ
３  箱体
４  脚体
５  前面板
６  文字
７  蓋
８  ロープ引き出し孔
９  フック
１０  車輪
１１  立足
１２  臥足
１３  足補足部材
１４  ピン
１５  ストッパーピン
１６  ストッパー
１７  伸縮部材
２１  リール
【図１】
0003632293.tif 000002
【図２】
0003632293.tif 000003
【図３】
0003632293.tif 000004
【図４】
0003632293.tif 000005